(57)【要約】【課題】画像表示プロジェクタにおいて、ネジ操作用工具を別途用意することなくランプボックスの交換ができる。【解決手段】画像表示プロジェクタ１００は、ランプ１が収納されたランプボックス１０と、画像形成素子１が装備されたプロジェクタ本体２０と、開口部２４を開閉するランプドア２２と、備え付けのネジ操作部材３０と、ネジ操作部材３０を着脱自在に保持する保持部１４ａ，１４ｂとを備える。保持部１４ａ，１４ｂはランプボックス１０の背面、すなわちランプドア２２をプロジェクタ本体２０から取外したときに露出される箇所に設けられている。ネジ操作部材３０をランプボックス１０から取外し、係合部３２をランプボックス固定用ネジ５０の頭部５１のネジ操作溝５２に係合させることにより、ランプボックス固定用ネジ５０を締める又は緩めることができる。【選択図】図２
2005301090.tif 000002
【特許請求の範囲】
【請求項１】
画像投射用の光を出射するランプが収納されたランプボックスと、前記ランプからの光を用いて画像を形成する画像形成素子が装備されたプロジェクタ本体と、前記ランプボックスを前記プロジェクタ本体内に着脱するための前記プロジェクタ本体に設けられた開口部と、前記ランプボックスをランプボックス固定用ネジにて前記プロジェクタ本体内にネジ止めするための前記ランプボックスに設けられたネジ止め部と、前記開口部を開閉するための前記プロジェクタ本体に着脱されるランプドアとを備えた画像表示プロジェクタにおいて、
前記ランプボックス固定用ネジを操作するための備え付けのネジ操作部材を有し、該ネジ操作部材は、略真直ぐに伸びる棒状部と、前記ランプボックス固定用ネジの頭部に係合し得る形状の前記棒状部の一端側に設けられた係合部と、前記係合部に回転力を与えるために操作される前記棒状部の他端側に設けられた回転操作部とから成り、
前記ランプボックスは、前記ネジ操作部材を収納する該ランプボックスの前記ランプドアを前記プロジェクタ本体から取外したときに露出される箇所に設けられた収納凹所と、前記ネジ操作部材を着脱自在に保持する前記収納凹所に設けられた保持部とを有し、
前記保持部は、前記ネジ操作部材の棒状部の伸びる方向が前記ランプボックスの前記プロジェクタ本体への装着方向と略垂直な状態にて、前記ネジ操作部材を前記ランプボックスの装着方向と略平行な方向に着脱自在に保持するものであり、
前記ネジ止め部は、前記ネジ操作部材の回転操作部が前記プロジェクタ本体の外部にある状態で前記ネジ操作部材の係合部が届き得る位置に設けられていることを特徴とする画像表示プロジェクタ。
【請求項２】
画像投射用の光を出射するランプが収納されたランプボックスと、前記ランプからの光を用いて画像を形成する画像形成素子が装備されたプロジェクタ本体と、前記ランプボックスを前記プロジェクタ本体内に着脱するための前記プロジェクタ本体に設けられた開口部と、前記ランプボックスをランプボックス固定用ネジにて前記プロジェクタ本体内にネジ止めするための前記ランプボックスに設けられたネジ止め部と、前記開口部を開閉するための前記プロジェクタ本体に着脱されるランプドアとを備えた画像表示プロジェクタにおいて、
前記ランプボックス固定用ネジを操作するための前記ランプドアを前記プロジェクタ本体から取外したときに露出される箇所に着脱自在に保持される備え付けのネジ操作部材を有することを特徴とする画像表示プロジェクタ。
【請求項３】
前記ランプボックスは、該ランプボックスの前記ランプドアを前記プロジェクタ本体から取外したときに露出される箇所に前記ネジ操作部材を収納する収納凹所を有し、
前記ネジ操作部材を着脱自在に保持する保持部が前記収納凹所に設けられている請求項２に記載の画像表示プロジェクタ。
【請求項４】
前記ネジ操作部材を着脱自在に保持する保持部が前記ランプドアの内面に設けられている請求項２に記載の画像表示プロジェクタ。
【発明の詳細な説明】
【技術分野】
【０００１】
本発明は、画像を投射してスクリーン等に表示する画像表示プロジェクタに関する。
【背景技術】
【０００２】
従来から、パソコンやビデオカメラ等からの画像データを基に、ランプから出射される光を用いて画像形成素子により画像を形成し、その画像をスクリーン等に投射して表示させる画像表示プロジェクタが知られている。この種の画像表示プロジェクタは、ランプが収納されたランプボックスを画像形成素子が装備されたプロジェクタ本体に着脱できる構造になっており、ランプが劣化や寿命により使用不能になったときにランプを交換できるようになっている。ランプの交換は、ランプボックスごと行われ、使用不能になったランプが収納されたランプボックスをプロジェクタ本体から取外し、使用可能なランプが収納されたランプボックスをプロジェクタ本体に装着することにより行われる。
【０００３】
このような画像表示プロジェクタでは、ランプボックスの装着は、プロジェクタ本体のランプドアを開き、その開口部からランプボックスをプロジェクタ本体内に挿入し、ランプボックスをプロジェクタ本体内にてネジ止めすることにより行われる。ランプボックスの装着後は、ランプドアは閉じられる。また、ランプボックスの取外しは、これと逆の手順で行われる。
【０００４】
また、プロジェクタに関し、液晶パネル及びダイクロイックプリズムから成る光学部品を筐体の表面に近い位置に設けられた取付部に取付ける構造により、ドライバ等の工具を筐体の内部まで差し入れる必要がなく、光学部品の交換作業を容易にできるようにしたものが知られている（例えば、特許文献１参照）。また、プロジェクタに関し、ＣＲＴとレンズとの間に介装され光学的結合用の液体を内封して成るカプラーの取付時に、カプラー取付用工具としてのスクリュードライバを切り欠きに挿通させてカプラー取付用の締付ネジを螺合する取付孔に案内するようにしたものが知られている（例えば、特許文献２参照）。また、プロジェクタに関し、ランプユニット取付部にランプ保持部固定ネジを回すためのドライバを挿入するドライバ挿入孔を設けることにより、プロジェクタ本体にランプユニットを取付けた状態で、ランプの光軸調整を行うと共にドライバ挿入孔からドライバを挿入してランプ保持部固定ネジを緊締して光軸を固定するようにしたものが知られている（例えば、特許文献３参照）。
【特許文献１】特開２００２−２８７２５３号公報
【特許文献２】特開平４−３５５７４１号公報
【特許文献３】特開２００２−２４４２０４号公報
【発明の開示】
【発明が解決しようとする課題】
【０００５】
ところで、画像表示プロジェクタの使用中に、ランプが劣化や寿命により使用不能になり、不測にランプの交換が必要になる場合がある。ところが、上述した従来の画像表示プロジェクタにおいては、ランプボックスがプロジェクタ本体内にネジ止めされているため、ランプを交換する際にはネジ操作用工具が必要である。このため、ランプが劣化や寿命により使用不能になった場合、ネジ操作用工具が用意できなければ、ランプを交換することができず、画像表示プロジェクタを使用できないという事態に陥ってしまう。なお、上述した特許文献１乃至特許文献３に開示の内容を適用したとしても、上記の課題を解決することはできない。
【０００６】
本発明は、上記課題を解決するためになされたものであり、ネジ操作用工具を別途用意するこなくランプボックスの交換ができる画像表示プロジェクタを提供することを目的とする。
【課題を解決するための手段】
【０００７】
上記目的を達成するために請求項１の発明は、画像投射用の光を出射するランプが収納されたランプボックスと、ランプからの光を用いて画像を形成する画像形成素子が装備されたプロジェクタ本体と、ランプボックスをプロジェクタ本体内に着脱するためのプロジェクタ本体に設けられた開口部と、ランプボックスをランプボックス固定用ネジにてプロジェクタ本体内にネジ止めするためのランプボックスに設けられたネジ止め部と、開口部を開閉するためのプロジェクタ本体に着脱されるランプドアとを備えた画像表示プロジェクタにおいて、ランプボックス固定用ネジを操作するための備え付けのネジ操作部材を有し、該ネジ操作部材は、略真直ぐに伸びる棒状部と、ランプボックス固定用ネジの頭部に係合し得る形状の棒状部の一端側に設けられた係合部と、係合部に回転力を与えるために操作される棒状部の他端側に設けられた回転操作部とから成り、ランプボックスは、ネジ操作部材を収納する該ランプボックスのランプドアをプロジェクタ本体から取外したときに露出される箇所に設けられた収納凹所と、ネジ操作部材を着脱自在に保持する収納凹所に設けられた保持部とを有し、保持部は、ネジ操作部材の棒状部の伸びる方向がランプボックスのプロジェクタ本体への装着方向と略垂直な状態にて、ネジ操作部材をランプボックスの装着方向と略平行な方向に着脱自在に保持するものであり、ネジ止め部は、ネジ操作部材の回転操作部がプロジェクタ本体の外部にある状態でネジ操作部材の係合部が届き得る位置に設けられているものである。
【０００８】
この構成においては、ランプボックスの背面に保持された備え付けのネジ操作部材をランプボックスから取外し、ネジ操作部材の係合部をランプボックス固定用ネジの頭部に係合させることにより、ランプボックス固定用ネジを操作できる。このため、ネジ操作用の工具を別途用意することなく、備え付けのネジ操作部材を利用してランプボックスの交換ができる。また、ネジ操作部材の係合部をランプボックス固定用ネジに係合させた状態では、ネジ操作部材の回転操作部がプロジェクタ本体の外部にある状態となり、これにより、回転操作部をプロジェクタ本体の外部で回転操作して、ランプボックス固定用ネジを操作できる。
【０００９】
また、ランプの交換を行わない通常時には、ランプドアをプロジェクタ本体に装着することにより、ネジ操作部材は、ランプドアに覆われてプロジェクタ本体外部に露出しないように保持される。しかも、ネジ操作部材は、収納凹所内に収納されるため、プロジェクタ本体の外形寸法が大きくならない。また、ネジ操作部材は、棒状部の伸びる方向がランプボックスの装着方向と略垂直な状態にてランプボックスの装着方向と略平行な方向に着脱自在に保持され、これにより、ネジ操作部材の着脱は、棒状部を摘んで真直ぐに押し引きするだけで行える。
【００１０】
請求項２の発明は、画像投射用の光を出射するランプが収納されたランプボックスと、ランプからの光を用いて画像を形成する画像形成素子が装備されたプロジェクタ本体と、ランプボックスをプロジェクタ本体内に着脱するためのプロジェクタ本体に設けられた開口部と、ランプボックスをランプボックス固定用ネジにてプロジェクタ本体内にネジ止めするためのランプボックスに設けられたネジ止め部と、開口部を開閉するためのプロジェクタ本体に着脱されるランプドアとを備えた画像表示プロジェクタにおいて、ランプボックス固定用ネジを操作するためのランプドアをプロジェクタ本体から取外したときに露出される箇所に着脱自在に保持される備え付けのネジ操作部材を有するものである。
【００１１】
この構成においては、備え付けのネジ操作部材を使用して、ランプボックス固定用ネジを操作できる。このため、ネジ操作用の工具を別途用意することなく、備え付けのネジ操作部材を利用してランプボックスの交換ができる。また、ランプの交換を行わない通常時には、ランプドアをプロジェクタ本体に装着することにより、ネジ操作部材は、ランプドアに覆われてプロジェクタ本体外部に露出しないように保持される。
【００１２】
請求項３の発明は、請求項２に記載の画像表示プロジェクタにおいて、ランプボックスは、該ランプボックスのランプドアをプロジェクタ本体から取外したときに露出される箇所にネジ操作部材を収納する収納凹所を有し、ネジ操作部材を着脱自在に保持する保持部が収納凹所に設けられているものである。この構成においては、ネジ操作部材は、収納凹所の空間内に収納された状態で保持部により保持されるため、プロジェクタ本体の外形寸法が大きくならない。
【００１３】
請求項４の発明は、請求項２に記載の画像表示プロジェクタにおいて、ネジ操作部材を着脱自在に保持する保持部がランプドアの内面に設けられているものである。この構成においては、ネジ操作部材は、ランプドアに設けられた保持部に着脱自在に保持される。ランプドアは、ランプボックスが使用不能になっても交換の必要がないため、ランプボックスに保持部を設けた構成と比較して、保持部を形成するための部材が節約できる。
【発明の効果】
【００１４】
以上説明したように請求項１の発明によれば、ランプボックス固定用ネジを操作するための備え付けのネジ操作部材を有しているため、ネジ操作用の工具を別途用意することなくランプボックスの交換ができ、これにより、不測にランプの交換が必要になった場合でも、直ぐにランプを交換して画像を表示することができる。また、ネジ止め部は、ネジ操作部材の回転操作部がプロジェクタ本体の外部にある状態でネジ操作部材の係合部が届き得る位置に設けられているため、回転操作部をプロジェクタ本体の外部で回転操作して、ランプボックス固定用ネジの操作を容易に行うことができる。
【００１５】
また、ネジ操作部材はランプドアを取外したときに露出される箇所に着脱自在に保持されるため、ランプの交換を行わない通常時には、ネジ操作部材がランプドアにより覆われ、これにより、美観が損なわれることがない。しかも、ネジ操作部材を着脱自在に保持する保持部が収納凹所に設けられているため、ネジ操作部材は収納凹所内に収納され、これにより、プロジェクタ本体の外形寸法を大きくすることなくネジ操作部材を保持することができる。また、保持部は、ネジ操作部材の棒状部の伸びる方向がランプボックスの装着方向と略垂直な状態にて、ネジ操作部材をランプボックスの装着方向と略平行な方向に着脱自在に保持するため、棒状部を摘んで真直ぐに押し引きするだけで、ネジ操作部材の着脱を容易に行うことができる。
【００１６】
請求項２の発明によれば、ランプボックス固定用ネジを操作するための備え付けのネジ操作部材を有しているため、ネジ操作用の工具を別途用意することなくランプボックスの交換ができ、これにより、不測にランプの交換が必要になった場合でも、直ぐにランプを交換して画像を表示することができる。また、ネジ操作部材はランプドアを取外したときに露出される箇所に着脱自在に保持されるため、ランプの交換を行わない通常時には、ネジ操作部材がランプドアにより覆われ、これにより、美観が損なわれることがない。
【００１７】
請求項３の発明によれば、ネジ操作部材を着脱自在に保持する保持部が収納凹所に設けられているため、ネジ操作部材は収納凹所内に収納され、これにより、プロジェクタ本体の外形寸法を大きくすることなくネジ操作部材を着脱自在に保持することができる。
【００１８】
請求項４の発明によれば、ネジ操作部材を着脱自在に保持する保持部がランプドアに設けられているため、ランプボックスに保持部を設けた構成と比較して、保持部を形成するための部材を節約でき、コストを抑えることができる。
【発明を実施するための最良の形態】
【００１９】
以下、本発明を具体化した実施形態について図面を参照して説明する。図１及び図２において、画像表示プロジェクタ１００は、パソコンやビデオカメラ等から入力される画像信号を基に、ランプ１から出射される画像投射用の光を用いて画像形成素子２により画像を形成し、その画像を投射レンズ３からスクリーンや壁面等に投射表示する装置である。この画像表示プロジェクタ１００は、ランプ１が収納されたランプボックス１０をプロジェクタ本体２０に着脱できる構造になっており、また、ランプボックス１０をプロジェクタ本体２０にネジ止めするための備え付けのネジ操作部材３０を有している。
【００２０】
ランプボックス１０は、ランプ１を収納しており、コネクタ１１と、ネジ止め部１２と、収納凹所１３と、保持部１４ａ，１４ｂとを備えている。コネクタ１１は、ランプ１に電力を供給するためのものである。ネジ止め部１２は、ランプボックス１０をプロジェクタ本体２０内にネジ止めするためのものであり、ランプボックス１０の背面において上面側へ突出して設けられており、ネジ孔１９を有している。収納凹所１３は、ネジ操作部材３０を収納するための空間であり、ランプボックス１０の背面側に形成されている。保持部１４ａ，１４ｂは、ネジ操作部材３０を着脱自在に保持するものであり、１０収納凹所１３に設けられている。
【００２１】
プロジェクタ本体２０は、画像形成素子２と、投射レンズ３と、反射ミラー４とを装備している。画像形成素子２は、例えば多数のマイクロミラーがマトリックス状に配列されて画像形成面が構成されている反射型のＤＬＰ（デジタル・ライティング・プロセッサ）が用いられており、各マイクロミラーの角度が制御部（不図示）からの信号により制御されることにより、照射される光を反射して画像を形成する。反射ミラー４は、ランプ１から出射される画像投射用の光を反射して画像形成素子２に照射する。投射レンズ３は、画像形成素子２の画像形成面からの反射光すなわち画像形成素子２にて形成された画像をスクリーンや壁面等に投射する。
【００２２】
また、プロジェクタ本体２０は、ランプハウス２１と、ランプドア２２とを備えている。ランプハウス２１は、上述のランプボックス１０をプロジェクタ本体２０内に着脱自在に固定するものであり、内部にランプボックス１０を装着するための空間が形成されており、ランプボックス１０を挿入、離脱するための開口部２４と、ランプボックス１０をネジ止めするためのネジ止め部２５とを有している。ネジ止め部２５は、開口部２４の開口端にてランプハウス３１の上部側へ突出して設けられており、ネジ孔２６を有している。ランプドア２２は、ランプハウス２１の開口部２４を開閉するものであり、係止片２８、２９により、プロジェクタ本体２０に着脱自在となっている。
【００２３】
ランプボックス１０のランプハウス２１へ着脱は、ランプドア２２をプロジェクタ本体２０から取外してランプハウス２１の開口部２４を開いた状態で行われる。ランプボックス１０のランプハウス２１への挿入方向はプロジェクタ本体２０の側面２０ａに略垂直な方向となっている。ランプボックス１０のネジ孔１９とランプハウス２１のネジ孔２６とは、ランプボックス１０をランプハウス２１内に装着したときに一致される。ランプボックス１０のランプハウス２１へのネジ止めは、ランプボックス１０をランプハウス２１内に装着した状態で、ランプボックス固定用ネジ５０をネジ孔１９及びネジ孔２６に螺合することにより行われる。ランプボックス固定用ネジ５０は、本実施形態では、頭部５１に直線形状のネジ操作溝５２を有するものが用いられている。ネジ孔１９及びネジ孔２６は、ランプボックス固定用ネジ５０をランプボックス１０のランプハウス２１への挿入方向と平行な方向、すなわちプロジェクタ本体２０の側面２０ａに略垂直な方向に進退させるように形成されている。
【００２４】
次に、上記ネジ操作部材３０の構成及び保持部１４ａ，１４ｂによるネジ操作部材３０の保持構造について、図３（ａ）（ｂ）を参照して説明する。ネジ操作部材３０は、棒状部３１と、係合部３２と、回転操作部３３とから構成されている。棒状部３１は、略真直ぐに伸びる円柱状に形成されている。係合部３２は、棒状部３１の一端側に設けられており、ランプボックス固定用ネジ５０の頭部５１に係合し得る形状に形成されている。ランプボックス固定用ネジ５０は、上述のように頭部５１に直線形状のネジ操作溝５２を有しており、従って、係合部３２の先端は、本実施形態では、ネジ操作溝５２（すなわち頭部５１）に係合し得る細長い直線状に形成されている。回転送操作部３３は、係合部３２に回転力を与えるために操作される部位であり、棒状部３１の他端側に設けられており、棒状部３１よりも外形の大きい多角形状に形成されている。
【００２５】
このような構成のネジ操作部材３０は、上記ランプボックス１０の収納凹所１３に設けられた保持部１４ａ，１４ｂにより着脱自在に保持される。収納凹所１３は、上述のようにランプボックス１０の背面側に形成されている。すなわち、収納凹所１３は、ランプボックス１０をランプハウス２１内に装着した状態でランプドア２２をプロジェクタ本体２０から取外したときに露出される箇所に形成されている。従って、ネジ操作部材３０は、ランプボックス１０をランプハウス２１内に装着した状態でランプドア２２をプロジェクタ本体２０から取外したときに露出される箇所にて、保持部１４ａ，１４ｂにより着脱自在に保持される。
【００２６】
保持部１４ａ，１４ｂは、各々、収納凹所１３内にてランプボックス１０の背面に突出して設けられており、ネジ操作部材３０の棒状部３１が嵌着される嵌着孔１５ａ，１５ｂと、棒状部３１の嵌着孔１５ａ，１５ｂに対する嵌着／抜き取りを行うための嵌抜口１６ａ，１６ｂとを有している。
【００２７】
嵌着孔１５ａ，１５ｂは、各々、ランプボックス１０の背面と平行（従って、ランプボックス１０のランプハウス２１への挿入方向と垂直）に、かつ水平に開けられており、ネジ操作部３０の棒状部３１の径よりも僅かに大きい径の円弧状をしている。また、嵌着孔１５ａ，１５ｂは、同じ高さ位置に形成されている。嵌抜口１６ａ，１６ｂは、各々、保持部１３ａ，１３ｂの後縁から嵌着孔１５ａ，１５ｂに水平に繋がって形成されており、高さ方向（上下方向）の寸法が棒状部３１の直径よりも僅かに小さく形成されている。保持部１４ａ，１４ｂは、弾性を有しており、これにより、嵌抜口１６ａ，１６ｂを通しての棒状部３１の嵌着孔１５ａ，１５ｂに対する嵌着／抜き取りを可能としている。
【００２８】
ネジ操作部材３０の保持部１４ａ，１４ｂへの装着は、ネジ操作部材３０の棒状部３１の伸びる方向を水平にして棒状部３１を保持部１４ａ，１４ｂの嵌抜口１６ａ，１６ｂに押し当て、棒状部３１をランプボックス１０の背面に向かって水平に押し込むことにより行われる。これにより、棒状部３１は、嵌抜口１６ａ，１６ｂを通って嵌着孔１５ａ，１５ｂに嵌着され、ネジ操作部材３０は、棒状部３１の伸びる方向がランプボックス１０の背面と平行（従って、ランプボックス１０のランプハウス２１への挿入方向と垂直）な状態にて、保持部１４ａ，１４ｂに保持される。保持部１４ａ，１４ｂに保持されたネジ操作部材３０は、収納凹所１３内に収納された状態となる。
【００２９】
また、ネジ操作部材３０の保持部１４ａ，１４ｂからの取外しは、棒状部３１を摘んでランプボックス１０の背面から水平に引張ることにより行われる。これにより、棒状部３１は、嵌抜口１６ａ，１６ｂを通って嵌着孔１５ａ，１５ｂから抜き取られ、ネジ操作部材３０は、保持部１４ａ，１４ｂから取外される。
【００３０】
このように、保持部１４ａ，１４ｂは、ネジ操作部材３０を棒状部３１の伸びる方向がランプボックス１０の背面と平行（従って、ランプボックス１０のランプハウス２１への挿入方向と垂直）な状態にて保持し、また、ネジ操作部材３０をランプボックス１０の挿入方向と略平行な方向に着脱自在としている。
【００３１】
このような構成の画像表示プロジェクタ１００によれば、図４に示すように、備え付けのネジ操作部材３０をランプボックス１０の背面の保持部１４ａ，１４ｂから取外し、係合部３２をランプボックス固定用ネジ５０の頭部５１のネジ操作溝５２に係合させ、回転操作部３３を回転操作することにより、ランプボックス固定用ネジ５０を締める又は緩める操作が行える。これにより、ネジ操作用工具を別途用意することなく、ランプボックス１０の交換ができる。また、ネジ止め部１２は、上述のようにランプボックス１０の背面に設けられており、これにより、回転操作部３３がプロジェクタ本体２０の側面２０ａから突出している状態（すなわち回転操作部３３がプロジェクタ本体２０の外部にある状態）で、係合部３２がネジ止め部１２に届き得るようになっている。従って、回転操作部３３をプロジェクタ本体２０の外部で回転操作することができ、ランプボックス固定用ネジ５０を締める又は緩める操作を容易に行える。
【００３２】
また、ランプの交換を行わない通常時には、ネジ操作部材３０は、保持部１４ａ，１４ｂに保持され、ランプドア２２は、プロジェクタ本体２０に装着される。これにより、ネジ操作部材３０は、ランプドア２２に覆われてプロジェクタ本体２０の外部に露出しないように保持される。このとき、ネジ操作部材３０は、収納凹所１３内に収納されるため、プロジェクタ本体２０の外形寸法が大きくならない。また、ネジ操作部材３０は、保持部１４ａ，１４ｂにより、棒状部３１の伸びる方向がランプボックス１０の装着方向と略垂直な状態にて、ランプボックス１０の装着方向と略平行な方向に着脱自在に保持されるため、棒状部３０を摘んで真直ぐに押し引きするだけで、ネジ操作部材３０を容易に着脱できる。
【００３３】
なお、本発明は、上記実施形態の構成に限られず、種々の変形が可能である。例えば、上記実施形態において、ネジ操作部材３０を保持する箇所は、ランプボックス１０の背面に限られず、ランプドア２２をプロジェクタ本体２２から取外したときに露出される箇所であれば何処であってもよく、ランプドア２２の内面に保持部１４ａ，１４ｂを設けて、ネジ操作部材３０をランプドア２２の内面側に着脱自在に保持してもよい。このような構成よれば、ランプドア２２は、ランプボックス１０が使用不能になっても交換の必要がないため、ランプボックス１０に保持部１４ａ，１４ｂを設けた構成と比較して、保持部１４ａ，１４ｂを形成するための部材を節約でき、コストを抑えることができる。
【００３４】
また、収納凹所１３は、必ずしも形成する必要はなく、さらに、保持部１４ａ，１４ｂ以外の構成により、ネジ操作部材３０を保持してもよい。ランプボックス固定用ネジ５０は、頭部に直線形状のネジ操作溝を有するものに限らず、頭部に十字形状の溝や６角形状の凹部を有するもの、又は頭部自体が６角形状等に形成されているものであってもよい。これらの場合、ネジ操作部３０の係合部３２は、各々のネジの頭部に係合し得る形状であればよい。
【図面の簡単な説明】
【００３５】
【図１】本発明の一実施形態に係る画像表示プロジェクタの概略構成を示す斜視図。
【図２】同プロジェクタのランプボックスをプロジェクタ本体から取外した状態を示す斜視図。
【図３】同プロジェクタのネジ操作部材の構成及びネジ操作部材の保持構造を示す斜視図。
【図４】同プロジェクタのネジ操作部材を利用したランプボックス固定用ネジの操作を説明する一部破断した斜視図。
【符号の説明】
【００３６】
１  ランプ
２  画像形成素子
３  投射レンズ
１０  ランプボックス
１２  ネジ止め部
１３  収納凹所
１４ａ，１４ｂ  保持部
１９  ネジ孔
２０  プロジェクタ本体
２１  ランプハウス
２２  ランプドア
２４  開口部
２５  ネジ止め部
２６  ネジ孔
３０  ネジ操作部材
３１  棒状部
３２  係合部
３３  回転操作部
５０  ランプボックス固定用ネジ
５１  ランプボックス固定用ネジの頭部
５２  ネジ操作溝
１００  画像表示プロジェクタ
【図１】
2005301090.tif 000003
【図２】
2005301090.tif 000004
【図３】
2005301090.tif 000005
【図４】
2005301090.tif 000006